(57)【要約】      （修正有）【課題】治療に直接には関係のない作業や筋肉の無駄な緊張を必要としないで、電圧を発生させ、治療に使える電子治療器を提供する。【解決手段】肩たたき器３の打突面１３に突設された圧電ユニット１５と、この圧電ユニットで発生した電圧を導くために前記肩たたき器から延設されるリード線５と、このリード線の先端に設けられる電極７と、この電極を身体の皮膚に取付けるための粘着性のテープまたはパッドとを有することを特徴とする。【選択図】図２
0003150884.tif 000002
【実用新案登録請求の範囲】
【請求項１】
肩たたき器と、この肩たたき器の打突面に突設された圧電ユニットと、この圧電ユニットで発生した電圧を導くために前記肩たたき器から延設されるリード線と、このリード線の先端に設けられる電極と、この電極を身体の皮膚に取付けるための粘着性のテープまたはパッドと、を有することを特徴とする電子治療器。
【考案の詳細な説明】
【技術分野】
【０００１】
この考案は、身体のツボに刺激を与え健康を回復するための電子治療器の構造に関する。
【背景技術】
【０００２】
身体の肩や腰などのツボに刺激を与え健康を回復するための健康器具には、肩たたき器をはじめいろいろのものが存在する。電気的な刺激を与える電子治療器も多数存在する。  そのうち下記特許文献１には、圧電素子により発生させた電圧により刺激を与える電子治療器が開示され、使用者は手に持ったペンシル型装置のノック式ボタンを押すことで発生させた電圧を、肩などのツボに導いて刺激を与える。
【先行技術文献】
【特許文献】
【０００３】
【特許文献１】実開平０４−０７１９５１
【考案の概要】
【考案が解決しようとする課題】
【０００４】
しかしながら、特許文献１の電子治療器は、使用者はノック式ボタンを押すことで電圧を発生させる必要があり、治療に直接には関係のない押す作業が必要であり、手の筋肉に無駄な緊張を強いるものであった。
この考案は、以上の問題点を解決するために、治療に直接には関係のない作業や筋肉の無駄な緊張を必要としないで、電圧を発生させる電子治療器を提供することを目的とする。
【課題を解決するための手段】
【０００５】
以上の課題を解決するために、この考案は、肩たたき器と、この肩たたき器の打突面に突設された圧電ユニットと、この圧電ユニットで発生した電圧を導くために前記肩たたき器から延設されるリード線と、このリード線の先端に設けられる電極と、この電極を身体の皮膚に取付けるための粘着性のテープまたはパッドと、を有することを特徴とする電子治療器である。
【考案の効果】
【０００６】
この考案によれば、肩たたき器で肩や腰などを打突し刺激を与えて治療を行なうと同時に、この打突により圧電ユニットで発生した電圧を、身体の他の部位の皮膚に導いて、電圧の刺激による治療を行なうことができる。よって、身体の２カ所の部位でツボ刺激の治療を行える。すなわち、電圧を発生させる打突の作業は、直接の治療になり、無駄にはならない。
【図面の簡単な説明】
【０００７】
【図１】この考案の一実施形態に係る電子治療器を使用する状態を示す図である。
【図２】図１の電子治療器を示す拡大図である。
【図３】図２の電子治療器の要部を示すもので、（Ａ）は、肩たたき器の一部を切り欠いて示す一部断面図、（Ｂ）は、（Ａ）の切欠部分の圧電ユニットを示す縦断面図である。
【考案を実施するための形態】
【０００８】
この考案の実施形態に係る電子治療器を、図１〜図３に示す。
図２に示すように、この電子治療器１は、肩たたき器３と、この肩たたき器３から延設されるリード線５の先端に設けられる電極７とからなる。
肩たたき器３は、木槌のような形態をしており、円筒状の本体９の側面に、長い取っ手１１が連続する。円筒状の本体９の一方の端面は、肩たたきの打突面１３である。打突面１３は、円形であり、中央に出没して機能する圧電ユニット１５が突設される。圧電ユニット１５の周囲には、６つの固定突起１７が突設される。
【０００９】
図３に示すように、圧電ユニット１５は、上側の外筒部分１９に対して下側の内筒部分２１が出没可能に設けられ、両者の間に配置された復帰スプリング２３により、内筒部分２１は通常は突出状態に維持される。外筒部分１９の上部内側には、座金２５が固定される。座金２５の上面２７に形成された雌ネジに対し、雄ネジ２９が螺合して、両者の間にリード線５の一方を取付ける。座金２５の下端に圧電素子３１が位置し、圧電素子３１の下端にヘッドピン３３が設けられる。このヘッドピン３３に対峙して、内筒部分２１の下部内側にはハンマー３５が固定される。
なお、リード線５は座金２５に固定されるものの他に、ヘッドピン３３に接続した図示しないもう1本が設けられ、これら2本をあわせたもので一組になる。
【００１０】
このように構成された圧電ユニット１５は、肩たたきの打突により、内筒部分２１が復帰スプリング２３の付勢力に抗して上昇すると、内筒部分２１のハンマー３５が、対峙するヘッドピン３３を打撃し、これにより圧電素子３１が電圧を発生させる。
【００１１】
この圧電ユニット１５で発生した電圧を導くリード線５は、圧電ユニット１５から円筒状の本体９、及び長い取っ手１１の内部を通り、取っ手１１の後端部から、延設され、コード６となって十分な長さを有する。このリード線５の先端には、電極７が設けられる。電極７は、アースの働きをするものとともに、２枚設けられる。これらの電極７は、低粘着性のパッド８により、身体の皮膚に取付けられる。
【００１２】
「実施形態の作用・効果」
図１に示すように、この実施形態に係る電子治療器１によれば、使用者３７が肩たたき器３で、例えば自分の肩をたたくと、この肩たたき器３の打突面１３に突設された圧電ユニット１５で電圧が発生する。この電圧は、肩たたき器３から延設されるリード線５により導かれ、リード線５の先端に設けられる電極７から、身体の別の部位、例えば腰に与えられる。肩をたたく回数に応じて、腰に電気刺激が与えられる。
【００１３】
このようにして、肩たたき器３で肩を打突し刺激を与えて治療を行なうと同時に、この打突により圧電ユニット１５で発生した電圧を、腰の皮膚に導いて、電圧の刺激による治療を行なうことができる。よって、肩と腰での２カ所の部位で、ツボ刺激の治療を行える。すなわち、電圧を発生させる肩への打突の作業は、肩への直接の治療になり、無駄にはならない。
【００１４】
「他の実施形態」
以上の実施形態では、肩をたたいて腰へ電気刺激を与えるものであったが、他の実施形態では、これら身体の２つの部位を、いろいろな他の組み合わせとしても良い。例えば、足裏のツボをたたいて、肩や腰へ電気刺激を与えるものでもよい。腰をたたいて、肩へ電気刺激を与えるものでもよい。
また、以上の実施形態では、スプリング２３は、復帰の機能を有するものであったが、他の実施形態では、復帰の機能以外に、以下の機能を有するように構成することもできる。すなわち、肩たたき器３で、例えば肩をたたくと、内筒部分２１が移動するが、この移動によりスプリング２３の力が貯められ、そのためられた力により、勢いがついたハンマー３５が動くようにする。このような構成は、電子ライターの着火装置の構成が、利用できる。
【符号の説明】
【００１５】
１…電子治療器、３…肩たたき器、５…リード線、７…電極、９…本体、１１…取っ手、１３…打突面、１５…圧電ユニット、１７…固定突起、１９…外筒部分、２１…内筒部分、２３…復帰スプリング、２５…座金、２７…上面、２９…雄ネジ、３１…圧電素子、３３…ヘッドピン、３５…ハンマー。
【図１】
0003150884.tif 000003
【図２】
0003150884.tif 000004
【図３】
0003150884.tif 000005